【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
複数のフレームからなる立体視可能な立体動画像の入力を受け付ける動画像入力手段と、
前記立体動画像のシーンの切り替わり位置を検出するシーン検出手段と、
前記シーンの切り替わり位置において、該切り替わり位置の後のシーンの先頭フレームが、該切り替わり位置の前のシーンの最後のフレームに相当する奥行き感にて表示された後、該奥行き感が徐々に変更されるように、前記立体動画像の奥行き感を調整する奥行き感調整処理を前記立体動画像に施すことにより処理済み立体動画像を生成する奥行き感調整手段とを備えたことを特徴とする立体動画像処理装置。
【請求項２】
前記奥行き感調整手段は、処理対象シーンの前のシーンの最終フレームに続いて、該最終フレームに相当する奥行き感を有する、該処理対象シーンの先頭フレームに対応する奥行き感調整先頭フレームが表示され、該奥行き感調整先頭フレームに続いて前記処理対象シーンにおける基準フレームの奥行き感となるまで、前記処理対象シーンの奥行き感が連続して変化する、前記先頭フレームから前記基準フレームまでのフレーム数に対応する数の奥行き感調整フレームが表示され、該奥行き感調整フレームに続いて前記基準フレームおよび該基準フレームに続くフレームが表示されるよう、前記奥行き感調整処理を前記立体動画像に施す手段であることを特徴とする請求項１記載の立体動画像処理装置。
【請求項３】
前記奥行き感調整手段は、前記最終フレームと前記先頭フレームとの奥行き感の差が大きいほど、前記奥行き感調整先頭フレームから前記基準フレームまでのフレーム数を多くする手段であることを特徴とする請求項２記載の立体動画像処理装置。
【請求項４】
前記奥行き感調整手段は、前記処理対象シーンのフレーム数と、前記先頭フレームから前記基準フレームまでのフレーム数との比較結果に応じて、前記奥行き感調整処理を前記立体動画像に施す手段であることを特徴とする請求項２または３記載の立体動画像処理装
【請求項５】
前記奥行き感調整手段は、処理対象シーンの前のシーンの最終フレームに続いて、該最終フレームに相当する奥行き感を有する、該処理対象シーンの先頭フレームまたは前記最終フレームに対応する奥行き感調整先頭フレームが表示され、該奥行き感調整先頭フレームに続いて前記先頭フレームの奥行き感となるまで該奥行き感調整先頭フレームの奥行き感が連続して変化する所定数の奥行き感調整フレームが表示され、該奥行き感調整フレームに続いて前記先頭フレームおよび該先頭フレームに続くフレームが表示されるよう、前記奥行き感調整処理を前記立体動画像に施す手段であることを特徴とする請求項１記載の立体動画像処理装置。
【請求項６】
前記奥行き感調整手段は、前記最終フレームと前記先頭フレームとの奥行き感の差が大きいほど、前記所定数を大きくする手段であることを特徴とする請求項５記載の立体動画像処理装置。
【請求項７】
複数のフレームからなる立体視可能な立体動画像の入力を受け付ける動画像入力手段と、
前記立体動画像のシーンの切り替わり位置を検出するシーン検出手段と、
前記シーンの切り替わり位置において、該切り替わり位置の後のシーンの先頭フレームに対応する２次元フレームが表示された後、奥行き感が徐々に変更されるように、前記立体動画像の奥行き感を調整する奥行き感調整処理を前記立体動画像に施すことにより処理済み立体動画像を生成する奥行き感調整手段とを備えたことを特徴とする立体動画像処理装置。
【請求項８】
前記奥行き感調整手段は、処理対象シーンの前のシーンの最終フレームに続いて、該処理対象シーンの先頭フレームに対応する２次元フレームが表示され、該２次元フレームに続いて前記先頭フレームの奥行き感となるまで該２次元フレームの奥行き感が連続して変化する所定数の奥行き感調整フレームが表示され、該奥行き感調整フレームに続いて前記先頭フレームおよび該先頭フレームに続くフレームが表示されるよう、前記奥行き感調整処理を前記立体動画像に施す手段であることを特徴とする請求項７記載の立体動画像処理装置。
【請求項９】
前記奥行き感調整手段は、前記先頭フレームの奥行き感が大きいほど、前記所定数を大きくする手段であることを特徴とする請求項８記載の立体動画像処理装置。
【請求項１０】
前記奥行き感調整手段は、処理対象シーンの前のシーンの最終フレームに続いて、該処理対象シーンの先頭フレームに対応する２次元フレームが表示され、該２次元フレームに続いて前記処理対象シーンにおける基準フレームの奥行き感となるまで、前記処理対象シーンの奥行き感が連続して変化する、前記先頭フレームから前記基準フレームまでのフレーム数に対応する数の奥行き感調整フレームが表示され、該奥行き感調整フレームに続いて前記基準フレームおよび該基準フレームに続くフレームが表示されるよう、前記奥行き感調整処理を前記立体動画像に施す手段であることを特徴とする請求項７記載の立体動画像処理装置。
【請求項１１】
前記奥行き感調整手段は、前記先頭フレームの奥行き感が大きいほど、前記先頭フレームから前記基準フレームまでのフレーム数を多くする手段であることを特徴とする請求項１０記載の立体動画像処理装置。
【請求項１２】
前記奥行き感調整手段は、前記処理対象シーンのフレーム数と、前記先頭フレームから前記基準フレームまでのフレーム数との比較結果に応じた前記奥行き感調整処理を、前記立体動画像に施す手段であることを特徴とする請求項１０または１１記載の立体動画像処理装置。
【請求項１３】
複数のフレームからなる立体視可能な立体動画像の入力を受け付け、
前記立体動画像のシーンの切り替わり位置を検出し、
前記シーンの切り替わり位置において、該切り替わり位置の後のシーンの先頭フレームが、該切り替わり位置の前のシーンの最後のフレームに相当する奥行き感にて表示された後、該奥行き感が徐々に変更されるように、前記立体動画像の奥行き感を調整する奥行き感調整処理を前記立体動画像に施すことにより処理済み立体動画像を生成することを特徴とする立体動画像処理方法。
【請求項１４】
複数のフレームからなる立体視可能な立体動画像の入力を受け付け、
前記立体動画像のシーンの切り替わり位置を検出し、
前記シーンの切り替わり位置において、該切り替わり位置の後のシーンの先頭フレームに対応する２次元フレームが表示された後、奥行き感が徐々に変更されるように、前記立体動画像の奥行き感を調整する奥行き感調整処理を前記立体動画像に施すことにより処理済み立体動画像を生成することを特徴とする立体動画像処理方法。
【請求項１５】
複数のフレームからなる立体視可能な立体動画像の入力を受け付ける手順と、
前記立体動画像のシーンの切り替わり位置を検出する手順と、
前記シーンの切り替わり位置において、該切り替わり位置の後のシーンの先頭フレームが、該切り替わり位置の前のシーンの最後のフレームに相当する奥行き感にて表示された後、該奥行き感が徐々に変更されるように、前記立体動画像の奥行き感を調整する奥行き感調整処理を前記立体動画像に施すことにより処理済み立体動画像を生成する手順とを有することを特徴とする立体動画像処理方法をコンピュータに実行させるためのプログラム。
【請求項１６】
複数のフレームからなる立体視可能な立体動画像の入力を受け付ける手順と、
前記立体動画像のシーンの切り替わり位置を検出する手順と、
前記シーンの切り替わり位置において、該切り替わり位置の後のシーンの先頭フレームに対応する２次元フレームが表示された後、奥行き感が徐々に変更されるように、前記立体動画像の奥行き感を調整する奥行き感調整処理を前記立体動画像に施すことにより処理済み立体動画像を生成する手順とを有することを特徴とする立体動画像処理方法をコンピュータに実行させるためのプログラム。
【手続補正２】
【補正対象書類名】図面
【補正対象項目名】図６
【補正方法】変更
【補正の内容】
【図６】
2009239388.tif 000001
【手続補正３】
【補正対象書類名】図面
【補正対象項目名】図９
【補正方法】変更
【補正の内容】
【図９】
2009239388.tif 000002
【手続補正４】
【補正対象書類名】図面
【補正対象項目名】図１０
【補正方法】変更
【補正の内容】
【図１０】
2009239388.tif 000003
【手続補正５】
【補正対象書類名】図面
【補正対象項目名】図１２
【補正方法】変更
【補正の内容】
【図１２】
2009239388.tif 000004
【手続補正６】
【補正対象書類名】図面
【補正対象項目名】図１６
【補正方法】変更
【補正の内容】
【図１６】
2009239388.tif 000005
【手続補正７】
【補正対象書類名】図面
【補正対象項目名】図１９
【補正方法】変更
【補正の内容】
【図１９】
2009239388.tif 000006
【手続補正８】
【補正対象書類名】図面
【補正対象項目名】図２０
【補正方法】変更
【補正の内容】
【図２０】
2009239388.tif 000007
【手続補正９】
【補正対象書類名】図面
【補正対象項目名】図２２
【補正方法】変更
【補正の内容】
【図２２】
2009239388.tif 000008